(57)【要約】【課題】自装置に接続された無線通信機能を持つリムーバブル記憶装置を、無線インターフェイスとして使用するか、記憶媒体として使用するかを状況に応じて切り替えることができる情報処理装置、およびそのプログラム、ファイル取り込み方法を提供する。【解決手段】  無線通信機能を持つリムーバブル記憶装置と有線で接続可能な接続部を有する情報処理装置が、該接続部に接続されている無線通信機能を持つリムーバブル記憶装置に、無線通信により外部から新たなファイルが書き込まれたか否かを監視し、新たなファイルが書き込まれた場合に、そのファイルを自装置の記憶部に複製するとともに、該リムーバブル記憶装置内の該ファイルを削除する第１制御を実行するか否かを判断し、該第１制御を実行すると判断した場合に該第１制御を実行する。【選択図】図５
2015207102.tif 000002
【特許請求の範囲】
【請求項１】
無線通信機能を持つリムーバブル記憶装置と有線で接続可能な接続部と、
前記接続部に接続されている前記リムーバブル記憶装置に、無線通信により外部から新たなファイルが書き込まれたか否かを監視する監視部と、
記憶部と、
前記リムーバブル記憶装置に新たなファイルが書き込まれたことを前記監視によって検出した場合に、前記ファイルを前記記憶部に複製すると共に前記リムーバブル記憶装置内の前記ファイルを削除する第１制御を実行するか否かを判断し、前記第１制御を実行すると判断した場合に前記第１制御を実行する制御部と、
を備える
ことを特徴とする情報処理装置。
【請求項２】
前記制御部は、前記第１制御を実行しないと判断した場合に、前記リムーバブル記憶装置内の前記ファイルを前記記憶部に複製するか否かを判断し、複製すると判断した場合に前記ファイルを複製する
ことを特徴とする請求項１に記載の情報処理装置。
【請求項３】
前記第１制御を実行するか否かの設定を受け付ける設定部をさらに備え、
前記制御部は、該設定に基づいて前記第１制御を実行するか否かを判断する
ことを特徴とする請求項１または２に記載の情報処理装置。
【請求項４】
前記制御部は、前記ファイルの拡張子が、所定の拡張子である場合に、前記第１制御を実行すると判断する
ことを特徴とする請求項１乃至３のいずれか１つに記載の情報処理装置。
【請求項５】
前記制御部は、前記ファイルに、前記第１制御を実行する指示が含まれている場合に、前記第１制御を実行すると判断する
ことを特徴とする請求項１乃至４のいずれか１つに記載の情報処理装置。
【請求項６】
前記監視部は、前記リムーバブル記憶装置に、無線通信により外部から新たなファイルが書き込まれたか否かを定期的に確認することで前記監視を行う
ことを特徴とする請求項１乃至５のいずれか１つに記載の情報処理装置。
【請求項７】
前記監視部は、前記リムーバブル記憶装置への前記ファイルの書き込みが完了したことを検知し、
前記制御部は、前記監視部が前記書き込みの完了を検知したときに、前記第１制御を実行する
ことを特徴とする請求項１乃至６のいずれか１つに記載の情報処理装置。
【請求項８】
前記制御部は、前記リムーバブル記憶装置に書き込み中の前記ファイルについて、書き込み済みの部分の複製を開始し、該複製が完了した部分を順次削除するように前記第１制御を実行する
ことを特徴とする請求項１乃至６のいずれか１つに記載の情報処理装置。
【請求項９】
前記第１制御では、前記書き込み中の前記ファイルのうちの前記複製が完了した部分に所定のデータを上書きする
ことを特徴とする請求項８に記載の情報処理装置。
【請求項１０】
前記接続部に接続されたリムーバブル記憶装置が無線通信機能を有しているか否かを判定する判定部をさらに備え、
前記監視部は、前記判定部が、前記接続部に接続されたリムーバブル記憶装置は無線通信機能を有していると判定した場合に、前記監視を行う
ことを特徴とする請求項１乃至９のいずれか１つに記載の情報処理装置。
【請求項１１】
無線通信機能を持つリムーバブル記憶装置と有線で接続可能な接続部を有する情報処理装置を、
請求項１乃至１０のいずれか１つに記載の情報処理装置として機能させる
ことを特徴とするプログラム。
【請求項１２】
無線通信機能を持つリムーバブル記憶装置と有線で接続可能な接続部を有する情報処理装置が、前記接続部に接続されている前記リムーバブル記憶装置に、無線通信により外部から新たなファイルが書き込まれたか否かを監視する監視ステップと、
前記リムーバブル記憶装置に新たなファイルが書き込まれたことを前記監視によって検出した場合に、前記情報処理装置が、前記新たなファイルを自装置の記憶部に複製すると共に前記リムーバブル記憶装置内の前記ファイルを削除する第１制御を実行するか否かを判断し、前記第１制御を実行すると判断した場合に前記第１制御を実行するファイル取り込みステップと、
を備える
ことを特徴とするファイル取り込み方法。
【請求項１３】
前記ファイル取り込みステップでは、前記第１制御を実行しないと判断した場合に、前記リムーバブル記憶装置内の前記ファイルを、前記記憶部に複製するか否かを判断し、複製すると判断した場合に、前記ファイルを複製する
ことを特徴とする請求項１２に記載のファイル取り込み方法。
【請求項１４】
前記第１制御を実行するか否かの設定を受け付ける設定ステップをさらに備え、
前記ファイル取り込みステップでは、該設定に基づいて前記第１制御を実行するか否かを判断する
ことを特徴とする請求項１２または１３に記載のファイル取り込み方法。
【請求項１５】
前記ファイル取り込みステップでは、前記ファイルの拡張子が、所定の拡張子である場合に、前記第１制御を実行すると判断する
ことを特徴とする請求項１２乃至１４のいずれか１つに記載のファイル取り込み方法。
【請求項１６】
前記ファイル取り込みステップでは、前記ファイルに、前記第１制御を実行する指示が含まれている場合に、前記第１制御を実行すると判断する
ことを特徴とする請求項１２乃至１５のいずれか１つに記載のファイル取り込み方法。
【請求項１７】
前記監視ステップでは、前記リムーバブル記憶装置内に、無線通信により外部から新たなファイルが書き込まれたか否かを定期的に確認することで前記監視を行う
ことを特徴とする請求項１２乃至１６のいずれか１つに記載のファイル取り込み方法。
【請求項１８】
前記監視ステップでは、前記リムーバブル記憶装置への前記ファイルの書き込みが完了したことを検知し、
前記ファイル取り込みステップでは、前記書き込みの完了を検知したときに、前記第１制御を実行する
ことを特徴とする請求項１２乃至１７のいずれか１つに記載のファイル取り込み方法。
【請求項１９】
前記ファイル取り込みステップでは、前記リムーバブル記憶装置に書き込み中の前記ファイルについて、書き込み済み部分の複製を開始し、該複製が完了した部分を順次削除するように前記第１制御を実行する
ことを特徴とする請求項１２乃至１７のいずれか１つに記載のファイル取り込み方法。
【請求項２０】
前記第１制御では、前記書き込み中の前記ファイルのうちの前記複製が完了した部分に所定のデータを上書きする
ことを特徴とする請求項１９に記載のファイル取り込み方法。
【請求項２１】
前記情報処理装置が、前記接続部に接続されたリムーバブル記憶装置が無線通信機能を有しているか否かを判定する判定ステップをさらに備え、
前記監視ステップでは、前記判定ステップにて、前記接続部に接続されたリムーバブル記憶装置は無線通信機能を有していると判定した場合に、前記監視を行う
ことを特徴とする請求項１２乃至２０のいずれか１つに記載のファイル取り込み方法。
【発明の詳細な説明】
【技術分野】
【０００１】
本発明は、無線ＬＡＮ機能を備えるリムーバブル記憶装置が装着される情報処理装置および、そのプログラム、ファイル取り込み方法に関する。
【背景技術】
【０００２】
2012年1月ＳＤカード（SD Memory Card）の規格化団体 SD Association が、無線ＬＡＮ（Local Area Network）接続機能を内蔵したWireless LAN ＳＤ 規格の策定を発表した。これにより、この規格に準拠したＳＤカード(以下、無線ＳＤカード)を用いた場合、無線ＳＤカードを装着した装置が無線通信の機能を有していなくても、無線ＳＤカード自体が無線通信機能を内蔵しているため、携帯端末等から無線通信で、無線ＳＤカードの中身を読み書き出来るようになった。なお、無線ＳＤカードは、装置本体に着脱可能（リムーバブル）な記憶装置である。
【０００３】
通常、無線ＳＤカードは、デジタルカメラ等で撮影した画像を携帯端末で取得するために使われる。すなわち、デジタルカメラが撮影して得た画像を該デジタルカメラに装着中の無線ＳＤカードに保存し、携帯端末が該無線ＳＤカードに保存された画像を無線通信によって読み取っている。
【０００４】
しかし、逆に携帯端末から、無線ＳＤカードに無線通信でファイルを保存する（書き込む）使用方法も可能となっている。特許文献１では、無線ＳＤカードをＭＦＰ（Multifunction Peripheral）に装着した場合に、携帯端末から無線通信によって無線ＳＤカードにファイルを保存し、ＭＦＰのパネル操作で、この無線ＳＤカード内のファイルを読み出して印刷する方法が記載されている（特許文献１参照）。
【０００５】
特許文献２には、デジタルカメラをクレードルセットすると、クレードルが、デジタルカメラ内のデータを自装置の記憶媒体に自動で移動させる方法が記載されている（特許文献２参照）。なお、特許文献２では、デジタルカメラ内のデータは該移動時に削除される。
【先行技術文献】
【特許文献】
【０００６】
【特許文献１】特開２０１１−０３４５５１号公報
【特許文献２】特開２００２−２０９１７５号公報
【発明の概要】
【発明が解決しようとする課題】
【０００７】
無線ＳＤカードは無線通信機能を備えているので、無線ＳＤカードを無線インターフェイスとしても利用できれば、たとえば、無線通信機能を持たない装置にとって都合がよく、特に、無線ＳＤカード（一の記憶媒体）として使用するか無線インターフェイスとして使用するかを状況に応じて切り替えることができればさらに利便性が高まる。
【０００８】
しかし、特許文献１では、無線ＳＤカードは通常のＳＤカードのように一の記憶媒体として使用されている。すなわち、無線通信によって外部から新たなファイルが書き込まれても、このファイルは無線ＳＤカードに記憶されるだけであり、ＭＦＰが該ファイルを読み出すためには、該ファイルを読み出す指示や操作が別途必要になる。
【０００９】
特許文献２では、クレードルは自動でデジタルカメラ内のデータを読み取っている。しかし、特許文献２のクレードルは、クレードルに装着したときにだけ読み取りを行うので、装着後にデジタルカメラ内の無線ＳＤカードに外部から無線通信によって新たなファイルが書き込まれても、そのファイルを自動的に読み取ることはない。
【００１０】
本発明は、上記の問題を解決しようとするものであり、自装置に接続された無線通信機能を持つリムーバブル記憶装置を、無線インターフェイスとして使用するか、一の記憶媒体として使用するかを状況に応じて切り替えることができる情報処理装置、およびそのプログラム、ファイル取り込み方法を提供することを目的としている。
【課題を解決するための手段】
【００１１】
かかる目的を達成するための本発明の要旨とするところは、次の各項の発明に存する。
【００１２】
［１］無線通信機能を持つリムーバブル記憶装置と有線で接続可能な接続部と、
前記接続部に接続されている前記リムーバブル記憶装置に、無線通信により外部から新たなファイルが書き込まれたか否かを監視する監視部と、
記憶部と、
前記リムーバブル記憶装置に新たなファイルが書き込まれたことを前記監視によって検出した場合に、前記ファイルを前記記憶部に複製すると共に前記リムーバブル記憶装置内の前記ファイルを削除する第１制御を実行するか否かを判断し、前記第１制御を実行すると判断した場合に前記第１制御を実行する制御部と、
を備える
ことを特徴とする情報処理装置。
【００１３】
上記発明では、自装置に接続されている無線通信機能を持つリムーバブル記憶装置内に、無線通信により外部から新たなファイルが書き込まれたか否かを監視する。そして新たなファイルが書き込まれた場合に、そのファイルを自装置の記憶部に複製するとともに、該リムーバブル記憶装置内の該ファイルを削除する第１制御を実行するか否かを判断し、該第１制御を実行すると判断した場合に該第１制御を実行する。新たなファイルが書き込まれた場合に第１制御を実行するか否かを判断するので、該リムーバブル記憶装置を、無線インターフェイスとして使用するか、記憶媒体として使用するかを状況に応じて切り替えることができる。
【００１４】
また、第１制御を実行する場合は、無線通信にて該リムーバブル記憶装置に書き込まれた新規ファイルを直ぐに複製し、該リムーバブル記憶装置内の新規ファイルを削除するので、無線通信によって該リムーバブル記憶装置に書き込まれた新たなファイルのセキュリティが、パスワード等を設けることなく、簡易に確保される。
【００１５】
［２］前記制御部は、前記第１制御を実行しないと判断した場合に、前記リムーバブル記憶装置内の前記ファイルを前記記憶部に複製するか否かを判断し、複製すると判断した場合に前記ファイルを複製する
ことを特徴とする［１］に記載の情報処理装置。
【００１６】
上記発明では、第１制御を実行しない場合には、無線通信によってリムーバブル記憶装置に新たに書き込まれたファイルを、自装置の記憶部に複製するか否かを判断し、複製すると判断した場合は、該ファイルを複製する。これにより、第１制御との組み合わせにより、新たなファイルを削除する、新たなファイルを保持する、新たなファイルを保持しかつ複製を情報処理装置に作成する、の３種類の動作を選択的に行わせることができる。新たなファイルを保持しかつ複製を情報処理装置に作成する場合は、リムーバブル記憶装置から該ファイルを読み出す手間を省略することができる。
【００１７】
［３］前記第１制御を実行するか否かの設定を受け付ける設定部をさらに備え、
前記制御部は、該設定に基づいて前記第１制御を実行するか否かを判断する
ことを特徴とする［１］または［２］に記載の情報処理装置。
【００１８】
上記発明では、第１制御を実行するか否かの設定を予め受け付け、その設定に基づいて第１制御を実行するか否かを判断する。たとえば、第１制御を実行する設定を受けていた場合に、第１制御を実行すると判断する。
【００１９】
［４］前記制御部は、前記ファイルの拡張子が、所定の拡張子である場合に、前記第１制御を実行すると判断する
ことを特徴とする［１］乃至［３］のいずれか１つに記載の情報処理装置。
【００２０】
上記発明では、無線通信によってリムーバブル記憶装置に新たに書き込まれたファイルの拡張子が、所定の拡張子である場合に、第１制御を実行すると判断する。所定の拡張子には、たとえば、ＰＤＦ（Portable Document Format）ファイルのような画像ファイルや文書ファイルなど、印刷可能なファイルが該当する。
【００２１】
［５］前記制御部は、前記ファイルに、前記第１制御を実行する指示が含まれている場合に、前記第１制御を実行すると判断する
ことを特徴とする［１］乃至［４］のいずれか１つに記載の情報処理装置。
【００２２】
上記発明では、無線通信によってリムーバブル記憶装置に新たに書き込まれたファイルに、第１制御を実行する指示が含まれている場合に、第１制御を実行すると判断する。
【００２３】
［６］前記監視部は、前記リムーバブル記憶装置内に、無線通信により外部から新たなファイルが書き込まれたか否かを定期的に確認することで前記監視を行う
ことを特徴とする［１］乃至［５］のいずれか１つに記載の情報処理装置。
【００２４】
上記発明では、リムーバブル記憶装置に外部から新たなファイルが書き込まれたか否かを定期的に確認することで、該リムーバブル記憶装置に新たなファイルが書き込まれているか否かの監視を行う。
【００２５】
［７］前記監視部は、前記リムーバブル記憶装置への前記ファイルの書き込みが完了したことを検知し、
前記制御部は、前記監視部が前記書き込みの完了を検知したときに、前記第１制御を実行する
ことを特徴とする［１］乃至［６］のいずれか１つに記載の情報処理装置。
【００２６】
上記発明では、無線通信によるリムーバブル記憶装置への新たなファイルの書き込みが完了したことを検知したら、その書き込みが完了したことを検知したときに、第１制御を実行する。
【００２７】
［８］前記制御部は、前記リムーバブル記憶装置に書き込み中の前記ファイルについて、書き込み済みの部分の複製を開始し、該複製が完了した部分を順次削除するように前記第１制御を実行する
ことを特徴とする［１］乃至［６］のいずれか１つに記載の情報処理装置。
【００２８】
上記発明では、リムーバブル記憶装置に書き込まれている際中のファイルについて、書き込み済みの部分の複製を開始し、該複製が完了した部分を順次削除するように第１制御を実行する。これにより、リムーバブル記憶装置に書き込まれたデータは直ぐに複製され、削除されるのでファイルが完全な形でリムーバブル記憶装置に存在する期間が少なくなり、全てのデータの書き込みが終了した後に第１制御を実行する場合に比べて、セキュリティが向上する。
【００２９】
［９］前記第１制御では、前記書き込み中の前記ファイルのうちの前記複製が完了した部分に所定のデータを上書きする
ことを特徴とする［８］に記載の情報処理装置。
【００３０】
上記発明では、第１制御にて複製が完了した部分は、所定のデータを上書きすることで削除する。所定のデータは、たとえば、０データや、ランダムデータなど、適当なデータを使用すればよい。
【００３１】
［１０］前記接続部に接続されたリムーバブル記憶装置が無線通信機能を有しているか否かを判定する判定部をさらに備え、
前記監視部は、前記判定部が、前記接続部に接続されたリムーバブル記憶装置は無線通信機能を有していると判定した場合に、前記監視を行う
ことを特徴とする［１］乃至［９］のいずれか１つに記載の情報処理装置。
【００３２】
上記発明では、自装置に接続されたリムーバブル記憶装置が無線通信機能を持っているか否かを判定し、無線通信機能を有していると判定した場合のみ、該リムーバブル記憶装置に無線通信によって新たなファイルが書き込まれたか否かの監視を行う。よって、無線通信機能を有していないと判定した場合は、監視処理が無駄に実行されない。
【００３３】
［１１］無線通信機能を持つリムーバブル記憶装置と有線で接続可能な接続部を有する情報処理装置を、
［１］乃至［１０］のいずれか１つに記載の情報処理装置として機能させる
ことを特徴とするプログラム。
【００３４】
［１２］無線通信機能を持つリムーバブル記憶装置と有線で接続可能な接続部を有する情報処理装置が、前記接続部に接続されている前記リムーバブル記憶装置に、無線通信により外部から新たなファイルが書き込まれたか否かを監視する監視ステップと、
前記リムーバブル記憶装置に新たなファイルが書き込まれたことを前記監視によって検出した場合に、前記情報処理装置が、前記新たなファイルを自装置の記憶部に複製すると共に前記リムーバブル記憶装置内の前記ファイルを削除する第１制御を実行するか否かを判断し、前記第１制御を実行すると判断した場合に前記第１制御を実行するファイル取り込みステップと、
を備える
ことを特徴とするファイル取り込み方法。
【００３５】
［１３］
前記ファイル取り込みステップでは、前記第１制御を実行しないと判断した場合に、前記リムーバブル記憶装置内の前記ファイルを、前記記憶部に複製するか否かを判断し、複製すると判断した場合に、前記ファイルを複製する
ことを特徴とする［１２］に記載のファイル取り込み方法。
【００３６】
［１４］前記第１制御を実行するか否かの設定を受け付ける設定ステップをさらに備え、
前記ファイル取り込みステップでは、該設定に基づいて前記第１制御を実行するか否かを判断する
ことを特徴とする［１２］または［１３］に記載のファイル取り込み方法。
【００３７】
［１５］前記ファイル取り込みステップでは、前記ファイルの拡張子が、所定の拡張子である場合に、前記第１制御を実行すると判断する
ことを特徴とする［１２］乃至［１４］のいずれか１つに記載のファイル取り込み方法。
【００３８】
［１６］前記ファイル取り込みステップでは、前記ファイルに、前記第１制御を実行する指示が含まれている場合に、前記第１制御を実行すると判断する
ことを特徴とする［１２］乃至［１５］のいずれか１つに記載のファイル取り込み方法。
【００３９】
［１７］前記監視ステップでは、前記リムーバブル記憶装置に、無線通信により外部から新たなファイルが書き込まれたか否かを定期的に確認することで前記監視を行う
ことを特徴とする［１２］乃至［１６］のいずれか１つに記載のファイル取り込み方法。
【００４０】
［１８］前記監視ステップでは、前記リムーバブル記憶装置への前記ファイルの書き込みが完了したことを検知し、
前記ファイル取り込みステップでは、前記書き込みの完了を検知したときに、前記第１制御を実行する
ことを特徴とする［１２］乃至［１７］のいずれか１つに記載のファイル取り込み方法。
【００４１】
［１９］前記ファイル取り込みステップでは、前記リムーバブル記憶装置に書き込み中の前記ファイルについて、書き込み済み部分の複製を開始し、該複製が完了した部分を順次削除するように前記第１制御を実行する
ことを特徴とする［１２］乃至［１７］のいずれか１つに記載のファイル取り込み方法。
【００４２】
［２０］前記第１制御では、前記書き込み中の前記ファイルのうちの前記複製が完了した部分に所定のデータを上書きする
ことを特徴とする［１９］に記載のファイル取り込み方法。
【００４３】
［２１］前記情報処理装置が、前記接続部に接続されたリムーバブル記憶装置が無線通信機能を有しているか否かを判定する判定ステップをさらに備え、
前記監視ステップでは、前記判定ステップにて、前記接続部に接続されたリムーバブル記憶装置は無線通信機能を有していると判定した場合に、前記監視を行う
ことを特徴とする［１２］乃至［２０］のいずれか１つに記載のファイル取り込み方法。
【発明の効果】
【００４４】
本発明に係る情報処理装置、およびそのプログラム、ファイル取り込み方法によれば、自装置に接続された無線通信機能を持つリムーバブル記憶装置を、無線インターフェイスとして使用するか、記憶媒体として使用するかを状況に応じて切り替えることができる。
【図面の簡単な説明】
【００４５】
【図１】本発明の実施の形態に係る画像形成装置と、無線ＳＤカードと、携帯端末とで構成された印刷システムを示す説明図である。
【図２】本発明の実施の形態に係る画像形成装置の概略構成を示すブロック図である。
【図３】本発明の実施の形態に係る無線ＳＤカードの概略構成を示すブロック図である。
【図４】携帯端末と無線ＳＤカードとの間で無線通信を確立する場合に、携帯端末に表示される画面を示す図である。
【図５】携帯端末にて、無線ＳＤカードに送信するファイルを選択する様子を示す図である。
【図６】画像形成装置が第１制御を実行する様子を示す図である。
【図７】第１の実施の形態において、画像形成装置が行う処理を示す流れ図である。
【図８】新規ファイルの書き込みと第１制御が開始されるまでの、画像形成装置と無線ＳＤカード内の記憶領域を示す図である。
【図９】新規ファイルの書き込み中に第１制御を実行する場合における、画像形成装置と無線ＳＤカード内の記憶領域を示す図である。
【図１０】新規ファイルの書き込みが完了した場合において、画像形成装置と無線ＳＤカード内の記憶領域を示す図である。
【図１１】第２の実施の形態において、画像形成装置が行う処理を示す流れ図である。
【発明を実施するための形態】
【００４６】
以下、図面に基づき本発明の実施の形態を説明する。
【００４７】
＜第１の実施の形態＞
図１は、本発明に係る情報処理装置としての機能を果たす画像形成装置１０と、画像形成装置１０に有線接続されるリムーバブル記憶装置としての機能を果たす無線ＳＤカード６０と、無線ＳＤカード６０と無線通信を行う外部端末としての機能を果たす携帯端末４０とを含む印刷システム５の構成例を示している。
【００４８】
無線ＳＤカード６０は、持ち歩きが可能なリムーバブル記憶装置であり、自装置の記憶部６２（図３参照）に有線通信でアクセスするための有線Ｉ／Ｆ（interface）部６４と、記憶部６２に無線通信でアクセスするための無線Ｉ／Ｆ部６３とを備えている。無線ＳＤカード６０は、有線Ｉ／Ｆ部６４のコネクタで、画像形成装置１０の外部メモリ接続部２１（図２参照）に着脱可能に有線接続される。
【００４９】
また、無線ＳＤカード６０は、無線Ｉ／Ｆ部６３を使用して無線ＬＡＮ等の無線通信によって携帯端末４０と無線接続することが可能である。画像形成装置１０や携帯端末４０など、無線ＳＤカード６０と有線または無線で接続された装置は、記憶部６２へアクセスすることが可能となる。
【００５０】
携帯端末４０は、持ち歩きが可能な情報処理端末である。携帯端末４０は、ユーザから受けた指示に従って、無線ＳＤカード６０に対して無線通信でアクセスしてデータの読み書きを行う。
【００５１】
画像形成装置１０は、原稿を光学的に読み取ってその複製画像を記録紙に印刷するコピージョブ、読み取った原稿の画像データをファイルにして保存したり外部の装置へ送信したりするスキャンジョブ、ＰＣから送出されたデータに係る画像を記録紙に印刷して出力するプリントジョブ（印刷ジョブ）などのジョブを実行する機能を備えた、所謂、複合機である。本発明の実施の形態では、画像形成装置１０は、外部メモリ接続部２１（図２参照）に有線接続された無線ＳＤカード６０内のデータを読み取って、該データに基づく印刷を実行したり、スキャンジョブによって得た画像データを無線ＳＤカード６０に保存したりすることができる。
【００５２】
たとえば、印刷システム５では、携帯端末４０から無線ＳＤカード６０に対して画像ファイルなどのデータを送信して保存させ、その保存されたデータを画像形成装置１０が無線ＳＤカード６０から読み出して印刷することができる。
【００５３】
画像形成装置１０は、外部メモリ接続部２１に有線接続されている無線ＳＤカード６０に外部端末（実施の形態では携帯端末４０）から、無線通信によって新たなファイルが書き込まれたか否かを監視する。以後、無線ＳＤカード６０に無線通信によって書き込まれる新たなファイルを新規ファイルと呼ぶ。
【００５４】
画像形成装置１０は、新規ファイルが無線ＳＤカード６０に書き込まれた場合は、その新規ファイルを自装置のハードディスク装置１５（図２参照）に複製するとともに、無線ＳＤカード６０内の新規ファイルを削除する第１制御を実行するか否かを判断し、第１制御を実行すると判断した場合に第１制御を実行する。
【００５５】
画像形成装置１０が第１制御を実行する場合は、無線ＳＤカード６０に書き込まれた新規ファイルが自動的に画像形成装置１０に転送される（複製されかつ無線ＳＤカード６０から削除される）ので、無線ＳＤカード６０は無線インターフェイスとしての機能を果たす。第１制御を実行しない場合は、無線ＳＤカード６０に書き込まれた新規ファイルは、無線ＳＤカード６０に保持されるので、無線ＳＤカード６０は記憶媒体として機能する。すなわち、画像形成装置１０は、自装置に接続された無線ＳＤカード６０を、無線インターフェイスとして使用するか、一の記憶媒体として使用するかを、状況に応じて切り替えることができ、よって該切り替えを行わない装置に比べてユーザの利便性が向上する。
【００５６】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、スキャナ部１７と、プリンタ部１８と、ファクシミリ通信部１９と、ネットワーク通信部２０と、外部メモリ接続部２１と、ＡＤＦ（Auto Document Feeder）２２と、認証部２３と、操作パネル３０とを備えている。
【００５７】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容の制御を行う制御部としての機能を果たす。
【００５８】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００５９】
ＲＡＭ１３は、ＣＰＵ１１がプログラムに基づいて処理を実行する際に各種のデータを一時的に格納するワークメモリや画像データを格納する画像メモリなどとして使用される。
【００６０】
不揮発メモリ１４は、電源をオフにしても記憶内容が破壊されないメモリ（フラッシュメモリ）であり、各種設定情報の保存などに使用される。
【００６１】
ハードディスク装置１５は、大容量の不揮発の記憶装置であり、ＯＳプログラムや各種アプリケーションプログラム、ユーザ情報、印刷データや画像データ、ジョブ履歴などが保存される。
【００６２】
画像処理部１６は、画像の拡大縮小、回転などの処理のほか、印刷データをイメージデータに変換するラスタライズ処理、画像データの圧縮、伸張処理などを行う。本発明の実施の形態では、無線ＳＤカード６０に記憶されているデータに基づいてサムネイル画像などを生成する。
【００６３】
スキャナ部１７は、原稿を光学的に読み取って画像データを取得する機能を果たす。スキャナ部１７は、例えば、原稿に光を照射する光源と、その反射光を受けて原稿を幅方向に１ライン分読み取るラインイメージセンサと、ライン単位の読み取り位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００６４】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００６５】
ファクシミリ通信部１９は、ファクシミリ機能を備えた外部の装置と公衆回線を通じて画像データを送受信する機能を果たす。
【００６６】
ネットワーク通信部２０は、ＬＡＮなどのネットワークを通じて外部の装置との間でデータを通信する機能を果たす。
【００６７】
ＡＤＦ２２は、画像を読み取る際に、複数枚の原稿を連続してスキャナ部１７の原稿台に送る自動原稿搬送装置としての機能を果たす。一度に３０枚程度の原稿をセットすることが可能で、原稿を読み取るごとに原稿台にセットし直す手間を省略することができる。
【００６８】
外部メモリ接続部２１は、無線ＳＤカード６０を画像形成装置１０に有線接続するためのＩ／Ｆであり、接続用のコネクタを備える。本発明の実施の形態では、外部メモリ接続部２１に接続されたリムーバブル記憶媒体が、無線通信機能を有する無線ＳＤカード６０であるか、無線通信機能を持たない通常のＳＤカードであるかをＣＰＵ１１が判定する。
【００６９】
認証部２３は、ユーザ認証を行う機能を果たす。具体的には、ユーザのログイン時にユーザ認証を行い、ログインユーザを特定する。本実施の形態では、画像形成装置１０を利用するにはログインを必要とし、利用前にユーザ認証が必ず行われるものとする。なお、ユーザ認証の方法は、ユーザＩＤ（Identification）とパスワードによる認証や指紋認証等、適当な方法であればよい。
【００７０】
操作パネル３０は、表示部３１と、操作部３２とを備えている。操作部３２は、スタートボタンや戻る釦などのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００７１】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。
【００７２】
図３は、無線ＳＤカード６０の概略構成を示すブロック図である。無線ＳＤカード６０は、制御部６１と、記憶部６２と、無線Ｉ／Ｆ部６３と、有線Ｉ／Ｆ部６４とを備えて構成される。
【００７３】
制御部６１は、無線ＳＤカード６０の動作を統括制御する。制御部６１は、ＣＰＵや、電源をオフにしても記憶内容が破壊されないメモリであるＦｌａｓｈＲＯＭなどによって構成される。そして、このＦｌａｓｈＲＯＭに格納されているプログラムに従ってＣＰＵが処理を実行することで無線ＳＤカード６０の各機能が実現される。
【００７４】
記憶部６２は、電源をオフにしても記憶内容が破壊されないメモリ（ＦｌａｓｈＲＯＭ）であり、記憶部６２の持つ記憶領域に、無線Ｉ／Ｆ部６３や有線Ｉ／Ｆ部６４を使用して接続される装置（携帯端末４０と画像形成装置１０）から読み書きされるデータが格納される。
【００７５】
無線Ｉ／Ｆ部６３は、無線ＬＡＮなどのネットワークを通じて携帯端末４０などの外部端末との間で通信する機能を果たす。有線Ｉ／Ｆ部６４は、画像形成装置１０等の外部の装置を記憶部６２に有線通信でアクセス可能に有線接続するためのＩ／Ｆであり、接続用のコネクタを備える。
【００７６】
次に、携帯端末４０が無線ＳＤカード６０に新規ファイルを書き込む手順について説明する。図４は、携帯端末４０と無線ＳＤカード６０を無線通信にて接続する際に、携帯端末４０の表示部５１に表示される画面を示す。
【００７７】
まず、ユーザは、無線ＳＤカード６０を画像形成装置１０に装着する。次に携帯端末４０にて専用のアプリケーションを立ち上げる。該アプリケーションを実行する携帯端末４０は携帯端末４０と無線通信が可能な機器を検出し、その一覧７０を表示部５１に表示する。ユーザは、一覧７０の中から接続先として無線ＳＤカード６０を選択する（Ｓ１）。
【００７８】
携帯端末４０は、接続先が選択されたらパスワード入力画面７１を表示し、パスワードの入力を受け付ける（Ｓ２）。予め設定されているパスワードが入力され、該パスワードによる認証が完了したら、無線ＳＤカード６０との間に無線通信を確立する（Ｓ３）。なお、無線通信の確立後は、前述の一覧７０内の無線ＳＤカード６０を示す箇所に、無線通信が確立していることを示すマーク７２や、無線ＳＤカード６０に送信するファイルを選択する画面に遷移するための遷移釦７３が表示される。
【００７９】
携帯端末４０は、無線ＳＤカード６０との間に無線通信を確立したら、無線ＳＤカード６０に新たなファイルを無線通信で送信して書き込むことができる。
【００８０】
図５は、携帯端末４０が無線ＳＤカード６０に新規ファイルを書き込む様子と、その書き込むファイルを選択する場合に携帯端末４０の表示部５１に表示される画面を示す。携帯端末４０は、遷移釦７３が押下されたら、ファイル選択画面７４に画面を遷移させる。ファイル選択画面７４には、無線ＳＤカードに送信可能なファイルと、送信釦７５が表示される。ユーザは、ファイル選択画面７４にて、無線ＳＤカード６０に送信するファイルを選択し、送信釦７５を押下する。図５の例では、File２が選択された状態で、送信釦７５が押下されており、携帯端末４０はFile２を無線ＳＤカード６０に送信する。画像形成装置１０は、無線ＳＤカード６０に新規ファイルが書き込まれたことを検知したら、第１制御を実行するか否かを判断する。
【００８１】
次に、画像形成装置１０が第１制御を実行するか否かの判断を行う場合について説明する。画像形成装置１０は、たとえば、以下の３つの判断方法によって該判断を行う。
【００８２】
＜判断方法１＞
第１制御を実行するか否かの設定を受け、該設定に基づいて第１制御を実行するか否かを判断する。本発明の実施の形態では、画像形成装置１０は操作パネル３０にて該設定を受ける。たとえば、ユーザが、操作パネル３０にて、画像形成装置１０の動作モードを、無線ＳＤカード６０に新規ファイルが書き込まれたら第１制御を実行する第１制御実行モードに設定した場合は、画像形成装置１０は、無線ＳＤカード６０に新規ファイルが書き込まれたら、第１制御を実行すると判断し、第１制御を実行する。
【００８３】
＜判断方法２＞
無線ＳＤカード６０に書き込まれた新規ファイルの拡張子を調べ、該拡張子が、所定の拡張子である場合に、第１制御を実行すると判断する。所定の拡張子は予め決められたものでもよいし、ユーザが設定したものでもよい。本発明の実施の形態では、ＰＤＦファイルなどのような静止画ファイルや、文書ファイルなど、印刷可能なファイルの拡張子が所定の拡張子に該当する。判断方法２と判断方法１を組み合わせてもよい。すなわち、判断方法１の設定で第１制御を実行する旨の設定がされており、かつ、新規ファイルの拡張子が所定の拡張子の場合に第１制御を実行する。
【００８４】
＜判断方法３＞
新規ファイルに、第１制御を実行する指示が含まれている場合に、画像形成装置１０が第１制御を実行すると判断し、第１制御を実行する。判断方法３を、判断方法１または判断方法２、もしくは判断方法１および判断方法２と組み合わせてもよい。すなわち、判断方法１の設定で第１制御を実行する旨の設定がされており、かつ、新規ファイルに第１制御を実行する指示が含まれている場合に第１制御を実行する（判断方法１＋判断方法３）、あるいは、新規ファイルの拡張子が所定の拡張子でありかつ新規ファイルに第１制御を実行する指示が含まれている場合に第１制御を実行する（判断方法２＋判断方法３）、あるいは、判断方法１の設定で第１制御を実行する旨の設定がされており、かつ、新規ファイルの拡張子が所定の拡張子であり、かつ新規ファイルに第１制御を実行する指示が含まれている場合に第１制御を実行する（判断方法１＋判断方法２＋判断方法３）。
【００８５】
なお、画像形成装置１０は、第１制御を実行しないと判断した場合は、新規ファイルをハードディスク装置１５に複製するか否かをさらに判断し、複製すると判断した場合に該複製を行うようにしてもよい。複製を行った場合は、画像形成装置１０と無線ＳＤカード６０の双方に新規ファイルが残る。複製を行わなかった場合は、無線ＳＤカード６０のみに新規ファイルが残る。複製を行うか否かの判断は、ユーザから受けた指示に従う方法で行ってもよいし、他の方法でもよい。
【００８６】
次に、画像形成装置１０が第１制御を実行する場合に行う処理の概略を説明する。図６は、画像形成装置１０が第１制御を実行する様子を示す。
【００８７】
画像形成装置１０は、外部メモリ接続部２１に接続されている無線ＳＤカード６０内の記憶領域を所定時間ごとに確認し（ポーリングを行い）、新規ファイルが書き込まれたか否かを監視する（Ｓ１１）。
【００８８】
新規ファイルが書き込まれたことを検知したら、第１制御を実行するか否かの判断を行い、実行すると判断した場合に、該新規ファイルを直ぐにハードディスク装置１５に複製し、記憶部６２内の新規ファイルを削除する（Ｓ１２）。なお、本発明の実施の形態では、画像形成装置１０は、新規ファイルの複製が完了したら、その複製したファイルの解析を行い、印刷可能なファイルである場合は、該ファイルに基づいて印刷を行う。
【００８９】
画像形成装置１０は、第１制御を実行する場合は、無線ＳＤカード６０に書き込まれた新規ファイルを直ぐにハードディスク装置１５に複製するとともに、記憶部６２内の新規ファイルを削除する。第１制御の完了後は、外部の装置（他の装置）が、無線ＳＤカード６０に書き込まれた新規ファイルを無線通信にて読み出すことは不可能となるので、無線ＳＤカード６０に書き込まれる新規ファイルのセキュリティは、パスワード等を設けなくとも簡易に確保される。
【００９０】
なお、本発明の実施の形態では、画像形成装置１０は、外部メモリ接続部２１に接続されたＳＤカードが、無線ＳＤカード６０か、無線通信機能を持たない通常のＳＤカードであるかを判別する。無線通信機能を持たない通常のＳＤカードには、新規ファイルが書き込まれることはない。よって、画像形成装置１０は、外部メモリ接続部２１に無線ＳＤカード６０が接続されたと判別した場合のみ、新規ファイルが書き込まれたか否かの監視を行う。
【００９１】
本発明の実施の形態では、各装置間での通信速度は以下のようになっている。
・無線ＳＤカード６０の無線通信による通信速度＝１．２５MB/S
・無線ＳＤカード６０の有線通信による通信速度＝１０MB/S
・ハードディスク装置１５への書き込み速度＝４３．３７MB/S
無線ＳＤカード６０の無線通信の通信速度に対して、有線通信の通信速度は約８倍速であり、ハードディスク装置１５への書き込み速度はそれ以上である。すなわち、外部の装置が記憶部６２から新規ファイルを無線通信で読み出す場合にかかる時間に比べて、第１制御にて新規ファイルの複製と削除を行う場合にかかる時間は短い（約１/８で済む）ので、新規ファイルの削除が開始されれば、その外部の装置が新規ファイルを読み出すことは不可能となる。
【００９２】
たとえば、画像形成装置１０が無線ＳＤカード６０内のファイルを数ミリ秒ごとに確認する場合は、新規ファイルの書き込みが完了した後から、最長でその数ミリ秒に加えてデータの削除が開始されるまでの期間に、外部の装置は該新規ファイルを読み出すことができる。しかし、無線ＳＤカード６０の無線通信の通信速度（１．２５MB/S）では、前述の期間（数ミリ秒＋データの削除が開始されるまでの時間）内に読み出すことのできるデータ量は少なく、外部の装置による新規ファイルの読み出しが完了することはほぼ不可能となる。具体例を挙げると、一般的な画像ファイルや文書ファイルの平均的なサイズは数MB程度であり、サイズの小さいものでも数百KBはあると考えられるが、前述の期間を１０ミリ秒とした場合、その間に外部の装置が読み出し可能なデータ量は１２．５Kbyteとなる。
【００９３】
図７は、画像形成装置１０が行う処理を示す。まず、外部メモリ接続部２１に接続されている無線ＳＤカード６０内のファイルを定期的に確認し、新たに書き込まれたファイル（新規ファイル）があるか否かをチェックする（ステップＳ１０１）。新規ファイルがなければ（ステップＳ１０２；Ｎｏ）、ステップＳ１０１に戻って処理を継続する。
【００９４】
新規ファイルがある場合は（ステップＳ１０２；Ｙｅｓ）、第１制御を実行するか否かを判断する（ステップＳ１０３）。第１制御を実行しないと判断した場合は（ステップＳ１０３；Ｎｏ）、本処理を終了する。すなわち、第１制御を実行しない場合は、無線ＳＤカード６０内に該新規ファイルをそのまま残す。
【００９５】
第１制御を実行すると判断した場合は（ステップＳ１０３；Ｙｅｓ）、新規ファイルを無線ＳＤカード６０から読み出して、自装置のハードディスク装置１５に複製し（ステップＳ１０４）、記憶部６２内の新規ファイルを削除する（ステップＳ１０５）。ここでは、新規ファイルのデータに０データなどを上書きするとともに、新規ファイルのファイル管理情報などを削除する。
【００９６】
その後、ハードディスク装置１５に複製したファイルを解析し、印刷が可能であれば、該ファイルに基づいて印刷を行い（ステップＳ１０６）、本処理を終了する。
【００９７】
このように画像形成装置１０は、外部メモリ接続部２１に有線接続されている無線ＳＤカード６０に新規ファイルが書き込まれたか否かを監視する。そして、新規ファイルが書き込まれた場合は、第１制御を行うか否かを判断し、該第１制御を実行すると判断した場合に該第１制御を実行する。第１制御を実行するか否かを判断するので、無線ＳＤカード６０を無線インターフェイスとして使用するか、一の記憶媒体として使用するかを状況に応じて切り替えることができる。
【００９８】
また、第１制御を実行する場合は、無線ＳＤカード６０に書き込まれた新規ファイルを直ぐに複製し、該無線ＳＤカード６０内の新規ファイルを削除するので、無線ＳＤカード６０に書き込まれた新規ファイルのセキュリティが、パスワード等を設けることなく、簡易に確保される。
【００９９】
＜第２の実施の形態＞
第１の実施の形態では、画像形成装置１０は、無線ＳＤカード６０への書き込みが完了した新規ファイルについて、複製と削除（第１制御）を実行したが、第２の実施の形態では、新規ファイルの書き込み中に、該書き込みと並行して、書き込み済みの部分の複製を開始し、該複製が完了した部分を順次削除するように第１制御を実行する場合について説明する。
【０１００】
なお、第２の実施の形態においても画像形成装置１０と無線ＳＤカード６０のハードウェア構成は第１の実施の形態と同じである。また、第２の実施の形態では、第１の実施の形態との相違点を説明し、同一部分の説明は適宜省略する。
【０１０１】
第２の実施の形態にて、画像形成装置１０が行う処理の概略を説明する。画像形成装置１０は、外部メモリ接続部２１に接続されている無線ＳＤカード６０内のファイルを所定時間ごとに確認し（ポーリングを行い）、書き込み中の新規ファイルがあるか否かを監視する。その後、書き込み中の新規ファイルを検知したら、第１制御を実行するか否かの判断を行い、実行すると判断した場合は、該新規ファイルについて書き込み済みのデータの複製を開始し、該複製が完了した部分を順次削除するよう第１制御を実行する。
【０１０２】
新規ファイルの書き込み中に、書き込まれたデータを速やかに複製、削除するので、新規ファイルの全体が完全な形で無線ＳＤカード６０に存在する期間がほぼ無くなり、よって、外部の装置が無線ＳＤカード６０から新規ファイルを読み出すことは不可能となり、無線ＳＤカード６０に書き込まれる新規ファイルのセキュリティが、パスワード等を設けなくとも簡易に確保される。
【０１０３】
ポーリングの周期が数ミリ秒の場合、該数ミリ秒に加えてデータの削除が開始されるまでの期間内に新規ファイルの書き込みが完了した場合のみ、該期間の終了時まで新規ファイルの全体が完全な形で無線ＳＤカード６０内に存在することになる。しかし、無線ＳＤカード６０の無線通信の通信速度（１．２５MB/S）では、前述の期間内（数ミリ秒＋データの削除が開始されるまで）に新規ファイルの書き込みが完了することは稀である。具体例を挙げると、一般的な画像ファイルや文書ファイルの平均的なサイズは数MB程度であり、サイズの小さいものでも数百KBはあると考えられるが、前述の期間を１０ミリ秒とした場合、その間に書き込み可能なデータ量は１２．５Kbyteとなる。
【０１０４】
なお、第１の実施の形態では、新規ファイルの書き込みが完了した後にポーリングが実行されるまでの時間が短いほど（ポーリングの周期が短いほど）、新規ファイルのセキュリティが高くなるが、第２の実施の形態では、書き込み中の新規ファイルを検知したら直ぐに第１制御を開始するので、新規ファイルの書き込み中にポーリングの周期が重なるようにすれば、該新規ファイルのセキュリティが確保される。よって、第２の実施の形態では、ポーリングの周期（前述の所定時間）を、新規ファイルの書き込みにかかる時間まで長くすることができる。
【０１０５】
次に、新規ファイルの書き込みと並行して第１制御を行う場合について図８〜図１０を参照して説明する。図８〜図１０は、第２の実施の形態にて、第１制御を実行する場合にハードディスク装置１５と記憶部６２においてデータが書き換えられる様子を示す。なお、図中では、ハードディスク装置１５をＨＤＤと、記憶部６２をＳＤカードと記す。
【０１０６】
図８（Ａ）は、新規ファイルの書き込みを開始する前の、ハードディスク装置１５と記憶部６２内のデータを示す。図８（Ａ）では、双方の記憶領域には、書き込み前データ（図中ではＸと記す）が書き込まれている。図８（Ｂ）は、携帯端末４０から無線通信により新規ファイルの書き込みが開始された様子を示す。図８（Ｂ）では、記憶部６２の一部に書き込み後データ（図中ではＹと記す）が書き込まれている。
【０１０７】
図９（Ｃ）は、図８（Ｂ）にて記憶部６２に書き込まれた書き込み後データをハードディスク装置１５に複製している様子を示す。記憶部６２への新規ファイルの書き込みは継続して行われており、図８（Ｂ）の時よりも、書き込み後データが増えている。
【０１０８】
図９（Ｄ）は、記憶部６２から、複製済みのデータを削除している様子を示す。記憶部６２内のハードディスク装置１５に複製されたデータの複製元のデータがある場所に、０データを上書きしている。記憶部６２への新規ファイルの書き込みは継続して行われており、該上書きと該書き込みは並行して行われている。
【０１０９】
図１０（Ｅ）は、記憶部６２への新規ファイルの書き込みが完了した後に、新規ファイルにおいてまだ複製されていないデータを、ハードディスク装置１５に複製する様子を示す。
【０１１０】
図１０（Ｆ）は、ハードディスク装置１５へのデータの複製が完了した後、複製済みであって、まだ削除されていないデータを削除する様子を示す。記憶部６２にて新規ファイルが書き込まれていた部分を全て０データで上書きした場合に、画像形成装置１０は第１制御の実行を完了する。
【０１１１】
図１１は、第２の実施の形態において、画像形成装置１０が行う処理を示す。まず、外部メモリ接続部２１に接続されている無線ＳＤカード６０内のファイルを定期的に確認し、書き込み中のファイルがあるか否かをチェックする（ステップＳ２０１）。書き込み中のファイルがなければ（ステップＳ２０２；Ｎｏ）、ステップＳ１０１に戻って処理を継続する。
【０１１２】
書き込み中のファイルがある場合は（ステップＳ２０２；Ｙｅｓ）、第１制御を実行するか否かを判断する（ステップＳ２０３）。第１制御を実行しないと判断した場合は（ステップＳ２０３；Ｎｏ）、本処理を終了する。すなわち、第１制御を実行しない場合は、無線ＳＤカード６０内に書き込まれたファイルをそのまま残す。
【０１１３】
第１制御を実行すると判断した場合は（ステップＳ２０３；Ｙｅｓ）、書き込み中のファイルのデータを無線ＳＤカード６０から読み出して、ハードディスク装置１５に複製し（ステップＳ２０４）、複製が完了したデータについては無線ＳＤカード６０から「０」などのデータを上書きして削除する（ステップＳ２０５）。書き込み中のファイルのデータを全て複製するまでは（ステップＳ２０６；Ｎｏ）、ステップＳ２０４に戻って処理を継続する。
【０１１４】
書き込み中のファイルの全てのデータの複製と削除が完了したら（ステップＳ２０６；Ｙｅｓ）、無線ＳＤカード６０からこのファイルを削除する（ステップＳ２０７）。ここでは、無線ＳＤカード６０のファイル管理情報から、全てのデータの複製と削除が完了したファイルのファイル情報を削除する。その後、複製したデータで構成されるファイルを解析し、印刷が可能であれば、該ファイルに基づいて印刷を行い（ステップＳ２０８）、本処理を終了する。
【０１１５】
なお、ステップＳ２０２にて、書き込み中のファイルではなく、既に書き込みが終了した新たな新規ファイルを検出した場合は、その新規ファイルを対象としてステップＳ２０３以降の処理を行う。
【０１１６】
このように画像形成装置１０は、外部メモリ接続部２１に有線接続されている無線ＳＤカード６０に書き込み中の新規ファイルがあるか否かを監視する。そして、書き込み中の新規ファイルがある場合は、第１制御を行うか否かを判断し、該第１制御を実行すると判断した場合に該第１制御を実行する。
【０１１７】
第２の実施の形態では、新規ファイルの書き込みと並行して、書き込み済みの部分の複製を開始し、該複製が完了した部分を順次削除するように第１制御を実行する。これにより、新規ファイルの全体が完全な形で無線ＳＤカード６０に存在する期間がほぼ無くなり、外部の装置が、無線ＳＤカード６０に書き込まれた新規ファイルを無線通信にて読み出すことは不可能となる。よって、無線ＳＤカード６０に書き込まれる新規ファイルのセキュリティが、パスワード等を設けなくとも簡易に確保される。
【０１１８】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１９】
本発明の実施の形態では、リムーバブル記憶装置の例として無線ＳＤカード６０を例に説明したが、ＳＤカード以外のリムーバブル記憶装置でもよい。たとえば無線通信機能を有するＵＳＢ（Universal Serial Bus）メモリなどでもよい。
【０１２０】
本発明の実施の形態では、第１制御にて、無線ＳＤカード６０内のデータを削除する場合は、該データに０データを上書きしていたが、他のデータを上書きしてもよい。たとえばランダムデータ等を上書きしてもよい。
【０１２１】
本発明の実施の形態では、画像形成装置１０を例に説明したが、本発明には、画像形成装置１０としての機能を果たす情報処理装置単体、情報処理装置を実施の形態での画像形成装置１０として機能させるプログラムや、ファイル取り込み方法も含まれる。
【符号の説明】
【０１２２】
５…印刷システム
１０…画像形成装置
１１…ＣＰＵ
１２…ＲＯＭ
１３…ＲＡＭ
１４…不揮発メモリ
１５…ハードディスク装置
１６…画像処理部
１７…スキャナ部
１８…プリンタ部
１９…ファクシミリ通信部
２０…ネットワーク通信部
２１…外部メモリ接続部
２２…ＡＤＦ
２３…認証部
３０…操作パネル
３１…表示部
３２…操作部
３３…スイッチ部
３４…タッチパネル部
４０…携帯端末
５１…表示部
６０…無線ＳＤカード
６１…制御部
６２…記憶部
６３…無線Ｉ／Ｆ部
６４…有線Ｉ／Ｆ部
７０…一覧
７１…パスワード入力画面
７２…マーク
７３…遷移釦
７４…ファイル選択画面
７５…送信釦
【図１】
2015207102.tif 000003
【図２】
2015207102.tif 000004
【図３】
2015207102.tif 000005
【図４】
2015207102.tif 000006
【図５】
2015207102.tif 000007
【図６】
2015207102.tif 000008
【図７】
2015207102.tif 000009
【図８】
2015207102.tif 000010
【図９】
2015207102.tif 000011
【図１０】
2015207102.tif 000012
【図１１】
2015207102.tif 000013